(57)【要約】      （修正有）【課題】簡単な開封操作で筒体の一面を広く開放させることができ、開封後も筒体及び側壁部が一体になって箱体の立体形状が維持される包装箱を提供する。【解決手段】包装箱を組み立てるための箱体形成片１６は、筒体を形成する第一から第四の筒体形成板１８、２０、２２、２４を備える。第二の筒体形成板２０の内側に、第一開封用破断線３６の両端を起点とし、第二の筒体形成板２０の側端辺を通り、第二の筒体形成板２０の、第三の筒体形成板２２が連接された端辺の途中の位置に各々達する第二開封用破断線４４（１）を備える。第二の筒体形成板２０は、第二開封用破断線４４（１）によって、第二開封用破断線４４（１）の内側の第二蓋領域４８と内側の連結領域５０（１）、５０（２）とに区切られる。第二開封用破断線４４（１）は、連結領域５０（１）、５０（２）の、第二開封用破断線４４（１)と直角な幅寸法が、箱体形成片１６の厚みの３〜６倍の範囲になるようにレイアウトされる。【選択図】図２
0003235357.tif 000002
【実用新案登録請求の範囲】
【請求項１】
四角形の筒体の両端が２つの側壁部で閉鎖された包装箱であって、
一枚の箱体形成片から成り、前記箱体形成片は、順に一列に連接された第一、第二、第三及び第四の筒体形成板と、前記第四の筒体形成板の連接方向の端辺に連接された糊付け板と、前記第一、第二、第三及び第四の筒体形成板の、連接方向と直角な左右の側端辺に各々一対に延設された第一フラップ、第二フラップ、第三フラップ及び第四フラップとを備え、
前記第一の筒体形成板の内側に、前記第一の筒体形成板の、前記第二の筒体形成板が連接された端辺の途中の２箇所を結ぶ第一開封用破断線が設けられ、前記第一の筒体形成板の、前記第二の筒体形成板が連接された端辺と重なる位置に、前記第一開封用破断線の両端を結ぶ第一折罫線が設けられ、前記第一の筒体形成板が、前記第一開封用破断線及び前記第一折罫線で囲まれた舌片状の第一蓋領域と、その他の領域である本体領域とに区切られており、
前記第二の筒体形成板の内側に、互いに交差しない２つの破断線であって、前記第一開封用破断線の両端を起点とし、前記第二の筒体形成板の前記側端辺を通り、前記第二の筒体形成板の、前記第三の筒体形成板が連接された端辺の途中の２箇所に各々達する２つの第二開封用破断線が設けられ、前記第二の筒体形成板の、前記第三の筒体形成板が連接された端辺と重なる位置に、前記第二開封用破断線の２つの終端同士を結ぶ第二折罫線が設けられ、前記第二の筒体形成板が、２つの前記第二開封用破断線の間に位置する第二蓋領域と、前記第二開封用破断線の外側に位置する４つの連結領域とに区切られ、前記第二開封用破断線は、前記第二開封用破断線を破断させる操作が行われた後における前記連結領域の、前記第二開封用破断線と直角な幅寸法が、前記箱体形成片の厚みの３〜６倍の範囲になるようにレイアウトされており、
組み立て状態で、前記第一の筒体形成板の前記本体領域に前記糊付け板が糊付けされて前記筒体が形成され、前記第一及び第三フラップの外側に前記第二及び第四フラップが重なり、前記第二及び第四フラップが相互に糊付けされて前記側壁部が形成され、又は、前記第二及び第四フラップの外側に前記第一及び第三フラップが重なり、前記第一及び第三フラップが相互に糊付けされて前記側壁部が形成され、
前記第一及び第二開封用破断線を破断させる開封操作が行われ、前記第一及び第二蓋領域が開かれた状態で、前記第二フラップが、特定の前記連結領域を介して前記第一の筒体形成板の前記本体領域に連続し、且つ他の前記連結領域を介して前記第三の筒体形成板に連続し、前記筒体及び前記側壁部が一体になって箱体の立体形状が維持されることを特徴とする包装箱。
【請求項２】
四角形の筒体の左右の両端が２つの側壁部で閉鎖された包装箱であって、
一枚の箱体形成片から成り、前記箱体形成片は、順に一列に連接された第一、第二、第三及び第四の筒体形成板と、前記第四の筒体形成板の連接方向の端辺に連接された糊付け板と、前記第一、第二、第三及び第四の筒体形成板の、連接方向と直角な左右の側端辺に各々一対に延設された第一フラップ、第二フラップ、第三フラップ及び第四フラップとを備え、
前記第一の筒体形成板の内側に、前記第一の筒体形成板の、前記第二の筒体形成板が連接された端辺の途中の２箇所を結ぶ第一開封用破断線が設けられ、前記第一の筒体形成板の、前記第二の筒体形成板が連接された端辺と重なる位置に、前記第一開封用破断線の両端を結ぶ第一折罫線が設けられ、前記第一の筒体形成板が、前記第一開封用破断線及び前記第一折罫線で囲まれた舌片状の第一蓋領域と、その他の領域である本体領域とに区切られており、
前記第二の筒体形成板の内側に、互いに交差しない２つの破断線であって、前記第一開封用破断線の両端を起点とし、前記第二の筒体形成板の前記側端辺を通り、前記第二の筒体形成板の、前記第三の筒体形成板が連接された端辺の両端に各々達する２つの第二開封用破断線が設けられ、前記第二の筒体形成板の、前記第三の筒体形成板が連接された端辺と重なる位置に、第二折罫線が設けられ、前記第二の筒体形成板が、２つの前記第二開封用破断線の間に位置する第二蓋領域と、前記第二開封用破断線の外側に位置する２つの連結領域とに区切られ、前記第二開封用破断線は、前記第二開封用破断線を破断させる操作が行われた後における前記連結領域の、前記第二開封用破断線と直角な幅寸法が、前記箱体形成片の厚みの３〜６倍の範囲になるようにレイアウトされており、
組み立て状態で、前記第一の筒体形成板の前記本体領域に前記糊付け板が糊付けされて前記筒体が形成され、前記第一及び第三フラップの外側に前記第二及び第四フラップが重なり、前記第一及び第三フラップが相互に糊付けされて前記側壁部が形成され、
前記第一及び第二開封用破断線を破断させる開封操作が行われ、前記第一及び第二蓋領域が開かれた状態で、前記第二フラップが、特定の前記連結領域を介して前記第一の筒体形成板の前記本体領域に連続し、前記筒体及び前記側壁部が一体になって箱体の立体形状が維持されることを特徴とする包装箱。
【請求項３】
前記第一蓋領域の舌片状の先端部が、開封用摘み部になっている請求項１又は２記載の包装箱。
【請求項４】
前記糊付け板には、前記開封処理が行われた後、前記第一蓋領域の舌片状の先端部に係合可能な再封用係合部が設けられている請求項１乃至３のいずれか記載の包装箱。
【考案の詳細な説明】
【技術分野】
【０００１】
本考案は、四角形の筒体の両端が２つの側壁部で閉鎖され、筒体の一部を開放することによって中の収容物を取り出すことができる包装箱に関する。
【背景技術】
【０００２】
従来、例えば特許文献１に開示されているように、四角形の筒体の両端を２つの側壁部で閉鎖した直方体状の紙箱であって、筒体に、互いに連続する第１〜第５の破断線が設けられ、これらを順に破断させる開封操作を行うことによって筒体の一部を開放することができる包装体があった。
【０００３】
第１の破断線は、筒体の正面部に設けられ、正面部と上面部とが交わる第１の稜線に両端が位置するように形成されている。第２の破断線は、一端が第１の破断線の一端に連結され、他端が、蓋面と一方の側面部とが交わる第２の稜線に位置するように斜めに形成されている。第３の破断線は、一端が第２の破断線の他端に連結され、他端が、蓋面と他方の側面部とが交わる第３の稜線に位置するように斜めに形成されている。第４の破断線は、一端が第２の破断線の他端に連結され、第２の稜線に沿って形成されている。第５の破断線は、一端が第３の破断線の他端に連結され、第３の稜線に沿って形成されている。そして、特許文献１の図９に記載されているように、包装体の第１〜第５の破断線を順に破断させて開封すると、筒体の上面部の一部が開放し、背面部の両側端が側面部から分離して外向きに倒れる構造になっている。
【先行技術文献】
【特許文献】
【０００４】
【特許文献１】特開平９−２２０９２号公報
【考案の概要】
【考案が解決しようとする課題】
【０００５】
特許文献１の包装体は、開封すると、背面部が側面部から分離して倒れ、箱体の立体形状（直方体形状）が維持されない構造なので、例えば転がりやすい複数の小物を収容した場合に、収容物が箱体の外にこぼれ出てしまう。また、開放された箱体の上面の角部に、大きな三角形領域（残片５４Ａ）が残るので、収容物を取り出す時に引っ掛かって邪魔になる。
【０００６】
本考案は、上記背景技術に鑑みて成されたものであり、簡単な開封操作で筒体の一面を広く開放させることができ、開封後も筒体及び側壁部が一体になって箱体の立体形状が維持される包装箱を提供することを目的とする。
【課題を解決するための手段】
【０００７】
本考案は、四角形の筒体の両端が２つの側壁部で閉鎖された包装箱であって、一枚の箱体形成片から成り、前記箱体形成片は、順に一列に連接された第一、第二、第三及び第四の筒体形成板と、前記第四の筒体形成板の連接方向の端辺に連接された糊付け板と、前記第一、第二、第三及び第四の筒体形成板の、連接方向と直角な左右の側端辺に各々一対に延設された第一フラップ、第二フラップ、第三フラップ及び第四フラップとを備え、
前記第一の筒体形成板の内側に、前記第一の筒体形成板の、前記第二の筒体形成板が連接された端辺の途中の２箇所を結ぶ第一開封用破断線が設けられ、前記第一の筒体形成板の、前記第二の筒体形成板が連接された端辺と重なる位置に、前記第一開封用破断線の両端を結ぶ第一折罫線が設けられ、前記第一の筒体形成板が、前記第一開封用破断線及び前記第一折罫線で囲まれた舌片状の第一蓋領域と、その他の領域である本体領域とに区切られており、
前記第二の筒体形成板の内側に、互いに交差しない２つの破断線であって、前記第一開封用破断線の両端を起点とし、前記第二の筒体形成板の前記側端辺を通り、前記第二の筒体形成板の、前記第三の筒体形成板が連接された端辺の途中の２箇所に各々達する２つの第二開封用破断線が設けられ、前記第二の筒体形成板の、前記第三の筒体形成板が連接された端辺と重なる位置に、前記第二開封用破断線の２つの終端同士を結ぶ第二折罫線が設けられ、前記第二の筒体形成板が、２つの前記第二開封用破断線の間に位置する第二蓋領域と、前記第二開封用破断線の外側に位置する４つの連結領域とに区切られ、前記第二開封用破断線は、前記第二開封用破断線を破断させる操作が行われた後における前記連結領域の、前記第二開封用破断線と直角な幅寸法が、前記箱体形成片の厚みの３〜６倍の範囲になるようにレイアウトされており、
組み立て状態で、前記第一の筒体形成板の前記本体領域に前記糊付け板が糊付けされて前記筒体が形成され、前記第一及び第三フラップの外側に前記第二及び第四フラップが重なり、前記第二及び第四フラップが相互に糊付けされて前記側壁部が形成され、又は、前記第二及び第四フラップの外側に前記第一及び第三フラップが重なり、前記第一及び第三フラップが相互に糊付けされて前記側壁部が形成され、
前記第一及び第二開封用破断線を破断させる開封操作が行われ、前記第一及び第二蓋領域が開かれた状態で、前記第二フラップが、特定の前記連結領域を介して前記第一の筒体形成板の前記本体領域に連続し、且つ他の前記連結領域を介して前記第三の筒体形成板に連続し、前記筒体及び前記側壁部が一体になって箱体の立体形状が維持される包装箱である。
【０００８】
また、本考案は、四角形の筒体の左右の両端が２つの側壁部で閉鎖された包装箱であって、一枚の箱体形成片から成り、前記箱体形成片は、順に一列に連接された第一、第二、第三及び第四の筒体形成板と、前記第四の筒体形成板の連接方向の端辺に連接された糊付け板と、前記第一、第二、第三及び第四の筒体形成板の、連接方向と直角な左右の側端辺に各々一対に延設された第一フラップ、第二フラップ、第三フラップ及び第四フラップとを備え、
前記第一の筒体形成板の内側に、前記第一の筒体形成板の、前記第二の筒体形成板が連接された端辺の途中の２箇所を結ぶ第一開封用破断線が設けられ、前記第一の筒体形成板の、前記第二の筒体形成板が連接された端辺と重なる位置に、前記第一開封用破断線の両端を結ぶ第一折罫線が設けられ、前記第一の筒体形成板が、前記第一開封用破断線及び前記第一折罫線で囲まれた舌片状の第一蓋領域と、その他の領域である本体領域とに区切られており、
前記第二の筒体形成板の内側に、互いに交差しない２つの破断線であって、前記第一開封用破断線の両端を起点とし、前記第二の筒体形成板の前記側端辺を通り、前記第二の筒体形成板の、前記第三の筒体形成板が連接された端辺の両端に各々達する２つの第二開封用破断線が設けられ、前記第二の筒体形成板の、前記第三の筒体形成板が連接された端辺と重なる位置に、第二折罫線が設けられ、前記第二の筒体形成板が、２つの前記第二開封用破断線の間に位置する第二蓋領域と、前記第二開封用破断線の外側に位置する２つの連結領域とに区切られ、前記第二開封用破断線は、前記第二開封用破断線を破断させる操作が行われた後における前記連結領域の、前記第二開封用破断線と直角な幅寸法が、前記箱体形成片の厚みの３〜６倍の範囲になるようにレイアウトされており、
組み立て状態で、前記第一の筒体形成板の前記本体領域に前記糊付け板が糊付けされて前記筒体が形成され、前記第一及び第三フラップの外側に前記第二及び第四フラップが重なり、前記第一及び第三フラップが相互に糊付けされて前記側壁部が形成され、
前記第一及び第二開封用破断線を破断させる開封操作が行われ、前記第一及び第二蓋領域が開かれた状態で、前記第二フラップが、特定の前記連結領域を介して前記第一の筒体形成板の前記本体領域に連続し、前記筒体及び前記側壁部が一体になって箱体の立体形状が維持される包装箱である。
【０００９】
前記第一蓋領域の舌片状の先端部が、開封用摘み部になっていることが好ましい。また、前記糊付け板には、前記開封処理が行われた後、前記第一蓋領域の舌片状の先端部に係合可能な再封用係合部が設けられていてもよい。
【考案の効果】
【００１０】
本考案の包装箱は、シンプルな構成で容易に組み立てることができる。そして、簡単な開封操作で筒体の一面を広く開放させることができ、開封後も、筒体及び側壁部が一体になって箱体の立体形状が維持される。
【図面の簡単な説明】
【００１１】
【図１】本考案の包装箱の第一の実施形態の組み立て状態を示す斜視図である。
【図２】第一の実施形態の包装箱を展開した箱体形成片を表面側から見た平面図である。
【図３】図２の箱体形成片の第二の筒体形成板に設けられた４つの連結領域を示す拡大図（ａ）、（ｂ）である。
【図４】第一の実施形態の包装箱の開封後の状態を示す斜視図（ａ）、左側の側壁部及びその近傍部分の構造を示す模式図（ｂ）である。
【図５】本考案の包装箱の第二の実施形態の組み立て状態を示す斜視図である。
【図６】第二の実施形態の包装箱を展開した箱体形成片を表面側から見た平面図である。
【図７】図６の箱体形成片の第二の筒体形成板に設けられた２つの連結領域を示す拡大図（ａ）、（ｂ）である。
【図８】第二の実施形態の包装箱の開封後の状態を示す斜視図（ａ）、左側の側壁部とその近傍部分の構造を示す模式図（ｂ）である。
【考案を実施するための形態】
【００１２】
以下、本考案の包装箱の第一の実施形態について、図１〜図４に基づいて説明する。この実施形態の包装箱１０は、図１に示すように、四角形の筒体１２の両端が２つの側壁部１４(1)，１４(2)で閉鎖された直方体形状の箱体で、厚紙で成る一枚の箱体形成片１６を組み立てることによって形成される。厚紙の厚みは例えば約０．４〜０．６ｍｍで、医薬品や菓子類の包装箱に広く使用されている基材である。
【００１３】
箱体形成片１６は、図２に示すように、順に一列に連接された４つの筒体形成板１８，２０，２２，２４を有している。筒体形成板１８，２０，２２，２４は、組み立て状態で筒体１２を形成する部材であり、連接している幅方向の長さが同じで、連接方向の長さは、筒体形成板１８，２２が短くて互いにほぼ等しく、筒体形成板２０，２４が長くて互いにほぼ等しい。以下、筒体形成板１８，２０，２２，２４を、各々第一、第二、第三及び第四の筒体形成板１８，２０，２２，２４と称する。
【００１４】
第四の筒体形成板２４の連接方向の端辺には、略長方形の糊付け板２６が連接されている。糊付け板２６の連接方向長さは、第一及び第三の筒体形成板１８，２２の連接方向長さよりも僅かに短い。糊付け板２６は、連接方向の先端中央部に円弧状の切り欠き２６ａが設けられ、さらに切り欠き２６ａと第四の筒体形成板２４との間の位置に、略コの字方の切り込み線で成る再封用係合部２６ｂが設けられている。
【００１５】
第一、第二、第三及び第四の筒体形成板１８，２０，２２，２４の、図２における右側の側端辺には、略長方形の第一、第二、第三及び第四フラップ２８(1)，３０(1)，３２(1)，３４(1)が各々延設されている。これらは、組み立て状態で側壁部１４(1)を形成する部材である。第一及び第三フラップ２８(1)，３２(1)の延出長さは、第二及び第四の筒体形成板２０，２４の連接方向長さの約1/3に設定され、第二フラップ３０(1)の延出長さは、第一及び第三の筒体形成板１８，２２と同じか僅かに短く、第四フラップ３４(1)の延出長さは、第一及び第三の筒体形成板１８，２２の連接方向長さの約2/3に設定されている。
【００１６】
第一、第二、第三及び第四の筒体形成板１８，２０，２２，２４の、図２における左側の側端辺には、右側の側端辺と同様の第一、第二、第三及び第四フラップ２８(2)，３０(2)，３２(2)，３４(2)が各々延設されている。これらは、組み立て状態で側壁部１４(2)を形成する部材である。
【００１７】
第一の筒体形成板１８の内側には、第一の筒体形成板１８の、第二の筒体形成板２０が連接された端辺の途中の２箇所を結ぶ第一開封用破断線３６が設けられている。また、第一の筒体形成板１８の、第二の筒体形成板２０が連接された端辺と重なる位置に、第一開封用破断線１８の両端を結ぶ第一折罫線３８が設けられている。これにより、第一の筒体形成板１８は、第一開封用破断線３６及び第一折罫線３６で囲まれた舌片状の第一蓋領域４０と、その他の領域である本体領域４２とに区切られる。また、第一蓋領域４０の舌片状の先端部は、開封用摘み部４０ａになっている。
【００１８】
第二の筒体形成板２０の内側には、互いに交差しない２つの第二開封用破断線４４(1)，４４(2)が設けられている。第二開封用破断線４４(1)は、第一開封用破断線３６の、第一フラップ２８(1)に近い一端を起点とし、第二の筒体形成板２０の側端辺を通り、第二の筒体形成板２０の、第三の筒体形成板２２が連接された端辺の途中の位置に達している。第二開封用破断線４４(2)は、第一開封用破断線３６の、第一フラップ２８(2)に近い一端を起点とし、第二の筒体形成板２０の側端辺を通り、第二の筒体形成板２０の、第三の筒体形成板２２が連接された端辺の途中の位置に達している。また、第二の筒体形成板２０の、第三の筒体形成板２２が連接された端辺と重なる位置に、第二開封用破断線４４(1)，４４(2)の２つの終端同士を結ぶ第二折罫線４６が設けられている。これにより、第二の筒体形成板２０は、２つの第二開封用破断線４４(1)，４２(2)の間に位置する第二蓋領域４８と、第二開封用破断線４４(1)の外側に位置する連結領域５０(1)，５２(1)と、第二開封用破断線４４(2)の外側に位置する連結領域５０(2)，５２(2)とに区切られる。
【００１９】
図３（ａ）に示すように、連結領域５０(1)は、第二フラップ３０(1)と本体領域４２とを連続させる小さい領域であり、連結領域５２(1)は、第二フラップ３０(1)と第三の筒体形成板２２とを連続させる小さい領域である。図３（ａ）の中の寸法ｄは、連結領域５０(1)，５２(1)の、第二開封用破断線４４(1)と直角な幅寸法であって、第二開封用破断線４４(1)を破断させる操作が行われた後に残る連結領域５０(1)，５２(1)の幅寸法である。寸法ｄは、箱体形成片１６の厚みの３〜６倍の範囲に、より好ましくは４〜５倍の範囲に各々設定される。
【００２０】
また、図３（ｂ）に示すように、連結領域５０(2)は、第二フラップ３０(2)と本体領域４２とを連続させる小さい領域であり、連結領域５２(２)は、第二フラップ３０(2)と第三の筒体形成板２２とを連続させる小さい領域である。図３（ｂ）の中の寸法ｄは、連結領域５０(2)，５２(2)の、第二開封用破断線４４(2)と直角な幅寸法であって、第二開封用破断線４４(2)を破断させる操作が行われた後に残る連結領域５０(2)，５２(2)の幅寸法である。寸法ｄは、箱体形成片１６の厚みの３〜６倍の範囲に、より好ましくは４〜５倍の範囲に各々設定される。
【００２１】
その他、第一及び第二折罫線３８，４６以外の折罫線について説明すると、第三の筒体形成板２２、第四の筒体形成板２４及び糊付け板２６を区切る位置に、折罫線５４，５６が各々設けられている。第一の筒体形成板１８と第一フラップ２８(1)，２８(2)とを区切る位置に、折罫線５８(1)，５８(2)が各々設けられている。第三の筒体形成板２２と第三フラップ３２(1)，３２(2)とを区切る位置に、折罫線６０(1)，６０(2)が各々設けられている。さらに、第四の筒体形成板２４と第四フラップ３４(1)，３４(2)とを区切る位置に、折罫線６２(1)，６２(2)が各々設けられている。
【００２２】
次に、包装箱１０の組み立て方法の一例を説明する。ここでは、図２に示す箱体形成片１６の各折罫線及び破断線の折り曲げ方について、表面が凸になる折り方を正折り、裏面が凸になる折り方を逆折りと称する。
【００２３】
まず、折罫線５６を正折りして糊付け板２６を第四の筒体形成板２４の裏面に重ねる。そして、第一の筒体形成板１８の本体領域４２の表面に糊６４を塗布した後、第二折罫線４６を正折りすることによって、第二の筒体形成板２０を第三及び第四の筒体形成板２２，２４の裏面に重ね、第一の筒体形成板１８を糊付け板２６の表面に重ね、本体領域４２を糊付け板２６に糊付けする。箱体形成片１６は、この折り畳み状態で包装箱１０の製造工場等から出荷される。
【００２４】
次に、商品等の包装を行う工場等において、箱体形成片１６の第一折罫線３８、第二折罫線４６及び折罫線５４，５６を各々９０度に正折りし、四角形の筒体１２を形成する。次に、筒体１２の一端部を閉鎖するため、折罫線５８(1)，６０(1)を各々９０度に正折りして第一及び第三フラップ２８(1)，３２(1)を倒し、次に折罫線６２(1)を９０度に正折りして第四フラップ３４(1)を第一及び第三フラップ２８(1)，３２(1)の表面に重ねる。そして、第四フラップ３４(1)の表面に糊６６を塗布した後、第二開封用破断線４４(1)を９０度に正折りして第二フラップ３０(1)を第四フラップ３４(1)の表面に重ね、第二フラップ３０(1)を第四フラップ３４(1)に糊付けする。これで、筒体１２の一端部が側壁部１４(1)で閉鎖されるので、反対側の開放している端部から収容物を中に入れる。
【００２５】
収容物を入れた後は、筒体１２の開放している端部を閉鎖するため、折罫線５８(2)，６０(2)を各々９０度に正折りして第一及び第三フラップ２８(2)，３２(2)を倒し、次に折罫線６２(2)を９０度に正折りして第四フラップ３４(2)を第一及び第三フラップ２８(2)，３２(2)の表面に重ねる。そして、第四フラップ３４(2)の表面に糊６６を塗布した後、第二開封用破断線４４(2)を９０度に正折りして第二フラップ３０(2)を第四フラップ３４(2)の表面に重ね、第二フラップ３０(2)を第四フラップ３４(2)に糊付けする。これで、筒体１２の他端が側壁部１４(2)で閉鎖され、図１に示す組み立て状態になる。
【００２６】
包装箱１０を開封する時は、まず、第一の筒体形成板１８の開封用摘み部４０ａを指で摘まみ、少し引き上げて第一開封用破断線３６を破断させる。これで第一蓋領域４０が本体領域４２から切り離され、第一蓋領域４０が開閉可能になる。その後、開封用摘み部４０ａをさらに引き上げることによって第二開封用破断線４４(1)，４４(2)を破断させる。これで第二蓋領域４８が第二フラップ３０(1)，３０(2)及び連結領域５０(1)，５０(2)，５２(1)，５２(2)から切り離され、第二蓋領域４８も開閉可能になる。そして、第一及び第二蓋領域４０，４８を大きく開くと、図４（ａ）に示すように、筒体１２の上面のほとんどの領域が開放され、中の収容物を容易に取り出すことができる。
【００２７】
第一及び第二蓋領域４０，４８が開放された後の、側壁部１４(2)及びその近傍部分の構造について説明すると、図４（ｂ）に示すように、第二フラップ３０(2)は、一端部が連結領域５０(2)を介して第一の筒体形成板１８の本体領域４２に連続し、他端部が連結領域５２(2)を介して第三の筒体形成板２２に連続する。第四フラップ３４(1)は、組み立て状態のまま、折罫線６２(2)を介して第四の筒体形成板２４に連続する。そして、第二及び第四フラップ３０(2)，３４(2)が互いに糊付け固定されているので、筒体１２は、組み立て状態の四角形に保持される。また、図４（ｂ）では省略しているが、第一及び第三フラップ２８(2)，３２(2)は、組み立て状態のまま、折罫線５８(2)，６０(2)を介して本体領域４２及び第三の筒体形成板２２に各々連続する。このように、側壁部１４(2)及びその近傍部分は、開封後においても筒体１２と側壁部１４(2)とが一体になった立体構造が維持される。
【００２８】
また、反対側の側壁部１４(1)及びその近傍部分の構造についても同様であり、開封後においても筒体１２と側壁部１４(1)とが一体になった立体構造が維持される。したがって、全体として、箱体の直方体形状が維持されることになる。
【００２９】
包装箱１０を開封した後、再封する時は、第一及び第二蓋領域４０，４８を元の位置に戻して筒体１２の開放部分を塞ぎ、開封用摘み部４０ａを糊付け板２６の再封用係合部２６ｂ（切り込み線）の中に差し込んで係合させる。これで、第一及び第二蓋領域４０，４８が閉じた状態に保持される。
【００３０】
ここで、連結領域５０(1)，５０(2)，５２(1)，５２(2)の幅寸法ｄについて説明すると、上述したように、幅寸法ｄは、箱体形成片１６の厚みの３〜６倍の範囲に設定される。もし、幅寸法ｄをこの範囲よりも小さい値に設定すると、第二開封用破断線４４(1)，４４(2)を破断させる操作が行われた時に、連結領域５０(1)，５０(2)，５２(1)，５２(2)が綺麗に残らない可能性がある。また、連結領域５０(1)，５０(2)，５２(1)，５２(2)が綺麗に残ったとしても、使用者が包装箱１０を使用している時、連結領域５０(1)，５０(2)，５２(1)，５２(2)のどれかが簡単に切れてしまう可能性がある。
【００３１】
反対に、幅寸法ｄをこの範囲よりも大きい値に設定すると、収容物を取り出すための開放部分が小さくなり、収容物の取り出し時の障害になりやすい。また、連結領域が各々幅広になるので、各連結領域と隣接する他の領域との境界部に折罫線を設けないと、組み立て時、この境界部を適切に折り曲げるのが困難になる。特に、幅寸法ｄを中途半端な寸法（例えば、箱体形成片１６の厚みの７〜８倍程度）にすると、境界部に折罫線を設けることさえ難しくなってしまう。これに対して、幅寸法ｄを箱体形成片１６の厚みの３〜６倍の範囲に設定することによって、境界部に折罫線を設けなくても、境界部を適切に折り曲げることができる。
【００３２】
以上説明したように、包装箱１０は、シンプルな構成で容易に組み立てることができる。そして、簡単な開封操作で筒体１２の上面（第二の筒体形成板２０の面）を広く開放させることができ、開封後も、筒体１２及び側壁部１４(1)，１４(2)が一体になって箱体の立体形状が維持される。
【００３３】
次に、本考案の包装箱の第二の実施形態について、図５〜図８に基づいて説明する。ここで、上記実施形態と同様の構成は、同一の符号を付して説明を省略する。
【００３４】
この実施形態の包装箱６８は、図５に示すように、四角形の筒体１２の両端が２つの側壁部１４(1)，１４(2)で閉鎖された直方体形状の箱体で、包装箱１０と比較すると、体積はほぼ同じであるが、奥行きが短く、高さが高いという違いがある。この包装箱６８は、上記と同様の厚紙で成る一枚の箱体形成片７０を組み立てることによって形成される。図６に示すように、箱体形成片７０は、全体の構成が上記の箱体形成片１６と類似しているので、以下、構成が異なる点を中心に説明する。
【００３５】
箱体形成片７０の場合、４つの筒体形成板１８，２０，２２，２４の連接方向の長さは、筒体形成板１８，２２が長くて互いにほぼ等しく、筒体形成板２０，２４が短くて互いにほぼ等しくなっている。これは、箱体の奥行きと高さが包装箱１０と異なるからである。
【００３６】
側壁部１４(1)を形成する部材について見ると、第二及び第四フラップ３０(1)，３４(1)は、延出長さが第一及び第三の筒体形成板１８，２２の連接方向長さの約1/3に設定され、第一フラップ２８(1)は、延出長さが第二及び第四の筒体形成板２０，２４と同じか僅かに短く、第四フラップ３４(1)は、延出長さが第二及び第四の筒体形成板２０，２４の連接方向長さの約4/5に設定されている。側壁部１４(2)を形成する第一から第四フラップ２８(2)，３０(2)，３２(2)，３４(2)についても、第一から第四フラップ２８(1)，３０(1)，３２(1)，３４(1)と同様である。
【００３７】
第一の筒体形成板１８に設けた第一開封用破断線３６のレイアウトは、箱体形成片１６と基本的に同じであるが、第二の筒体形成板２０に設けた第二開封用破断線４４(1)，４４(2)のレイアウトは、箱体形成片１６と少し違っている。箱体形成片７０の第二開封用破断線４４(1)は、図６、図７に示すように、第一開封用破断線３６の、第一フラップ２８(1)に近い一端を起点とし、第二の筒体形成板２０の側端辺を通り、第二の筒体形成板２０の、第三の筒体形成板２２が連接された端辺の一端に達している。同様に、箱体形成片７０の第二開封用破断線４４(2)は、第一開封用破断線３６の、第一フラップ２８(2)に近い一端を起点とし、第二の筒体形成板２０の側端辺を通り、第二の筒体形成板２０の、第三の筒体形成板２２が連接された端辺の他端に達している。
【００３８】
したがって、箱体形成片７０の第二の筒体形成板２０は、２つの第二開封用破断線４４(1)，４２(2)の間に位置する第二蓋領域４８と、第二開封用破断線４４(1)の外側に位置する連結領域５０(1)と、第二開封用破断線４４(2)の外側に位置する連結領域５０(2)とに区切られる。つまり、第一折罫線３８側に連結領域５０(1)，５０(2)が設けられているが、第二折罫線４６側には連結領域（箱体形成片１６の連結領域５２(1)，５２(2)に対応する領域）が設けられていない。
【００３９】
その他、箱体形成片７０の第一の筒体形成板１８の第一蓋領域４０は、舌片状の先端部が開封用摘み部４０ａになっており、開封用摘み部４０ａの基端部に、第一折罫線３８とほぼ平行な一対の折罫線４０ｂが設けられている。さらに、折罫線４０ｂの内側の端部同士を連結する略Ｕ字形の切り込み線によって、第二の筒体形成板２０の方向に膨出した係合舌部４０ｃが設けられている。また、糊付け板２６の再封用係合部２６ｂは、切り込み線ではなく、所定幅のスリットより設けられている。さらに、第三の筒体形成板２２の内側の、折罫線６０(1)，６０(2)に近い端部に、内向きに膨出した円弧形の解体用破断線７２(1)，７２(2)が各々設けられている。折罫線６０(1)と解体用破断線７２(1)とで囲まれた押圧領域７４(1)と、折罫線６０(2)と解体用破断線７２(2)とで囲まれた押圧領域７４(2)は、包装箱７０を解体して廃棄する時に使用される。
【００４０】
包装箱６８の組み立て方法において、包装箱１０と大きく異なるのは、２つの側壁部１４(1)，１４(2)の組み立て方法である。四角形の筒体１２を形成した後、側壁部１４(1)を形成する時は、まず、開封用破断線４４(1)及び折罫線６２(1)を各々９０度に正折りして第二及び第四フラップ３０(1)，３４(1)を倒し、次に折罫線６０(1)を９０度に正折りして第三ラップ３２(1)を第二及び第四フラップ３０(1)，３４(1)の表面に重ねる。そして、第三フラップ３２(1)の表面に糊６６を塗布した後、折罫線５８(1)を９０度に正折りして第一フラップ２８(1)を第三フラップ３２(1)の表面に重ね、第一フラップ２８(1)を第三フラップ３２(1)に糊付けする。これで、筒体１２の一端部が側壁部１４(1)で閉鎖される。
【００４１】
収容物を入れた後、側壁部１４(2)を形成する時も同様で、まず、開封用破断線４４(2)及び折罫線６２(2)を各々９０度に正折りして第二及び第四フラップ３０(2)，３４(2)を倒し、次に折罫線６０(2)を９０度に正折りして第三ラップ３２(2)を第二及び第四フラップ３０(2)，３４(2)の表面に重ねる。そして、第三フラップ３２(2)の表面に糊６６を塗布した後、折罫線５８(2)を９０度に正折りして第一フラップ２８(2)を第三フラップ３２(2)の表面に重ね、第一フラップ２８(2)を第三フラップ３２(2)に糊付けする。これで、筒体１２の他端部が側壁部１４(2)で閉鎖され、図５に示す組み立て状態になる。
【００４２】
包装箱６８を開封する時の操作は、包装箱１０の場合と同様である。すなわち、第一の筒体形成板１８の開封用摘み部４０ａを指で摘まみ、少し引き上げて第一開封用破断線３６を破断させる。これで第一蓋領域４０が本体領域４２から切り離され、第一蓋領域４０が開閉可能になる。その後、開封用摘み部４０ａをさらに引き上げることによって第二開封用破断線４４(1)，４４(2)を破断させる。これで第二蓋領域４８が第二フラップ３０(1)，３０(2)及び連結領域５０(1)，５０(2)から切り離され、第二蓋領域４８も開閉可能になる。そして、第一及び第二蓋領域４０，４８を大きく開くと、図８（ａ）に示すように、筒体１２の上面のほとんどの領域が開放され、中の収容物を容易に取り出すことができる。
【００４３】
第一及び第二蓋領域４０，４８が開放された後の、側壁部１４(2)及びその近傍部分の構造について説明すると、図８（ｂ）に示すように、第一フラップ２８(2)は、組み立て状態のまま、折罫線５８(2)を介して本体領域４２に連続し、第三フラップ３２(2)も、組み立て状態のまま、折罫線６０(2)を介して第三の筒体形成板２２に連続する。そして、第一及び第三フラップ２８(2)，３２(2)が互いに糊付け固定されているので、筒体１２は、組み立て状態の四角形に保持される。また、第二フラップ３０(2)は、連結領域５０(2)を介して本体領域４２に連続し、第四フラップ３４(2)は、組み立て状態のまま、折罫線６２(2)を介して第四の筒体形成板２４に連続する。このように、側壁部１４(2)及びその近傍部部分は、開封後においても筒体１２と側壁部１４(2)とが一体になった立体構造が維持される。
【００４４】
反対側の側壁部１４(1)及びその近傍部分の構造についても同様であり、開封後においても筒体１２と側壁部１４(1)とが一体になった立体構造が維持される。したがって、全体として、箱体の直方体形状が維持されることになる。
【００４５】
包装箱６８を開封した後、再封する時は、第一及び第二蓋領域４０，４８を元の位置に戻して筒体１２の開放部分を塞ぎ、折罫線４０ｂを逆折りして開封用摘み部４０ａを屈曲させる。すると、係合舌部４０ｃが第一蓋領域４０から自動的に抜け出るので、係合舌部４０ｃを糊付け板２６の再封用係合部２６ｂ（スリット）の中に差し込んで係合させる。これで、第一及び第二蓋領域４０，４８が閉じた状態に保持される。
【００４６】
包装箱６８を開封した後、廃棄する時は、押圧領域７４(1)，７４(2)を指で押し込んで開封用破断線７２(1)，７２(2)を破断させる。すると、第三フラップ３２(1)，３２(2)が第三の筒体形成板２２から切り離され、箱体の立体形状が維持できなくなり、包装箱６８を薄く降り畳んでコンパクトに廃棄することができる。
【００４７】
以上説明したように、包装箱６８によれば、上記の包装箱１０とほぼ同様の効果を得ることができる。
【００４８】
なお、本考案の包装箱は、上記実施形態に限定されるものではない。例えば、第二の実施形態の包装箱６８の場合、第二の筒体形成板４８の第二開封用破断線４４(1)，４４(2)が、第一折罫線３８側だけに連結領域（５０(1)，５０(2)）を設けるレイアウトになっているが、第一の実施形態の包装箱１０と同様に、第二折罫線４６側にも連結領域（５２(1)，５２(2)）を設けるレイアウトにしてもよい。これによって、開封後、第二の筒体形成板２０が開放される領域が少しだけ小さくなるものの、第二フラップ３０(1)，３０(2)と筒体１２との一体性を向上させることができる。
【００４９】
第一の筒体形成板の開封用摘み部の形状や大きさは、操作性やデザイン性を考慮して自由に変更することができ、必要なければ開封用摘み部自体を無くすことも可能である。また、再封時の、第一の筒体形成板の第一蓋領域の舌片状の先端部と糊付け板の再封用係合部とが係合する部分の構造は、上記の包装箱１０，６８で採用している構造以外の構造に変更することができ、再封機能が不要な場合は、再封用係合部を無くすことができる。
【符号の説明】
【００５０】
１０，６８  包装箱
１２  筒体
１４(1)，１４(2)  側壁部
１６，７０  箱体形成片
１８  第一の筒体形成板
２０  第二の筒体形成板
２２  第三の筒体形成板
２４  第四の筒体形成板
２６  糊付け板
２６ｂ  再封用係合部
２８(1)，２８(2)  第一フラップ
３０(1)，３０(2)  第二フラップ
３２(1)，３２(2)  第三フラップ
３４(1)，３４(2)  第四フラップ
３６  第一開封用破断線
３８  第一折罫線
４０  第一蓋領域
４０ａ  開封用摘み部
４２  本体領域
４４(1)，４４(2)  第二開封用破断線
４６  第二折罫線
４８  第二蓋領域
５０(1)，５０(2)，５２(1)，５２(2)  連結領域
６４，６６  糊
【図１】
0003235357.tif 000003
【図２】
0003235357.tif 000004
【図３】
0003235357.tif 000005
【図４】
0003235357.tif 000006
【図５】
0003235357.tif 000007
【図６】
0003235357.tif 000008
【図７】
0003235357.tif 000009
【図８】
0003235357.tif 000010